(57)【要約】【課題】番組表を受信したユーザが興味を示しそうな番組情報についても併せて提示することのできる番組表サーバ、画像表示装置及び番組情報送受信システムを提供する。【解決手段】本発明に係る番組表サーバは、画像表示装置を使用するユーザが番組表サーバから番組表を入手した際に、そこに表示された番組情報だけでなく、その番組に関連する番組や、ユーザの嗜好に合った番組についてもオススメ情報として表示することができる。【選択図】図５
2007181067.tif 000002
【特許請求の範囲】
【請求項１】
番組情報を格納する番組情報格納部と、
外部通信端末との間で情報の送受信を行う送受信部と、
前記番組情報格納部に格納された前記番組情報からなる一覧表を前記送受信部を介して送信した外部通信端末より、前記一覧表に含まれる１の番組の指定がされた際に、前記１の番組又は前記外部通信端末に関連する他の番組情報であって前記番組情報格納部に格納された情報を検出する番組情報検出部と、を備え、
前記番組情報検出部の検出した番組情報を前記外部通信端末へ送信することを特徴とする番組表サーバ。
【請求項２】
前記番組情報は、前記番組情報に係る番組を放送する各放送局から取得されたものであることを特徴とする請求項１記載の番組表サーバ。
【請求項３】
前記番組情報は、前記番組情報に係る番組を放送する各放送局から取得し管理を行う番組情報提供機関より取得されたものであることを特徴とする請求項１記載の番組表サーバ。
【請求項４】
前記他の番組情報は、前記１の番組に係る番組情報であって前記番組情報格納部に格納された情報に含まれる項目のうちの少なくとも１つと同一の項目を含む番組情報であることを特徴とする請求項１記載の番組表サーバ。
【請求項５】
前記番組情報検出部は、前記他の番組情報を検出する際に前記１の番組に係る番組情報に含まれる項目の種類を選択することができることを特徴とする請求項４記載の番組表サーバ。
【請求項６】
前記外部通信端末において過去に録画予約のされた番組に係る番組情報を格納する端末別情報格納部を備え、
前記他の番組情報は、前記端末別情報格納部に格納された前記外部通信端末において過去に録画予約のされた番組に係る番組情報に多く含まれる項目と同一の項目を含む番組情報であることを特徴とする請求項１記載の番組表サーバ。
【請求項７】
番組情報を格納する番組表サーバとの間でデータの送受信を行う送受信部と、
前記送受信部を介して前記番組表サーバより受信した番組情報からなる一覧表及びコンテンツ画像を表示する画像表示部と、
前記画像表示部に表示された前記一覧表の中に含まれる１の番組の指定を行う操作部と、を備え、
ユーザによる前記操作部の操作により前記一覧表の中に含まれる１の番組が指定された場合には、前記１の番組に関連する他の番組情報を前記送受信部を介して前記番組表サーバより取得し、前記画像表示部に表示させることを特徴とする画像表示装置。
【請求項８】
番組情報を格納する番組情報格納部を備える番組表サーバと、
前記番組情報からなる一覧表及びコンテンツ画像を表示する画像表示部を備える画像表示装置と、からなり、
前記番組表サーバは、前記画像表示装置との間で情報の送受信を行う第１の送受信部と、前記番組情報のうちの１の番組に対応する前記１の番組又は前記画像表示装置に関連する他の番組情報であって、前記番組情報格納部に格納された情報を検出する番組情報検出部と、を備え、
前記画像表示装置は、前記番組表サーバとの間でデータの送受信を行う第２の送受信部と、前記画像表示部に表示された前記番組表の中に含まれる１の番組の選択を行う操作部と、を備え、
ユーザによる前記操作部の操作により前記画像表示部に表示された前記一覧表の中に含まれる１の番組が選択された場合には、前記番組情報検出部により検出された前記１の番組又は前記画像表示装置に関連する他の番組情報であって前記番組情報格納部に格納された情報を前記画像表示装置へ送信し、前記画像表示部に表示させることを特徴とする番組情報送受信システム。
【発明の詳細な説明】
【技術分野】
【０００１】
本発明は番組表サーバ、画像表示装置及び番組情報送受信システムに関し、特に番組表を受信したユーザが興味を示しそうな番組情報についても併せて提示することのできる番組表サーバ、画像表示装置及び番組情報送受信システムに関する。
【背景技術】
【０００２】
従来、テレビ番組やラジオ番組の放送内容については、新聞の番組欄や専門の雑誌の記事によらなければ知ることができなかった。しかし、インターネットの普及した近年では、インターネットを介してかかる情報を容易に取得することもできるようになった。
【０００３】
また、電子番組表（ＥＰＧ）の開発により、番組表を直接テレビ画面等に表示することも可能となってきた。
【０００４】
電子番組表をテレビ等で受信した際には、そこに記載される番組についての情報もあわせて受信することができるので、当該番組を録画した場合には、当該番組の情報もあわせて記録することが可能となっている。
【０００５】
録画した番組の情報の記録が可能となったことで、ユーザの視聴・録画した番組についてのデータの蓄積が可能となるので、それに応じてユーザの嗜好に合わせた番組情報のユーザに告知することも可能となっている（例えば、特許文献１参照）。
【特許文献１】特開２００５−１６７６２８号公報
【発明の開示】
【発明が解決しようとする課題】
【０００６】
しかしながら、電子番組表の取得が容易になったものの、各ユーザが必ずしも電子番組表の全てに目を通すとは限らず、確認漏れにより番組の存在に気付かないこともあり、このような場合には視聴することも、録画予約することもできない。
【０００７】
上記特許文献１の発明においては、ユーザの視聴履歴に応じてユーザの嗜好を予測し、それに応じた番組を推薦することができるので、推薦された番組については確認漏れを防止することができるが、推薦番組決定方法は複数のユーザの傾向を分析するものであるため、ユーザ個人の嗜好が必ずしも反映されるとはいえない。
【０００８】
従って本発明は、番組表を受信したユーザが興味を示しそうな番組情報についても併せて提示することのできる番組表サーバ、画像表示装置及び番組情報送受信システムを提供することを目的とする。
【課題を解決するための手段】
【０００９】
本発明は、上記目的を達成するため、番組情報を格納する番組情報格納部と、外部通信端末との間で情報の送受信を行う送受信部と、前記番組情報格納部に格納された前記番組情報からなる一覧表を前記送受信部を介して送信した外部通信端末より、前記一覧表に含まれる１の番組の指定がされた際に、前記１の番組又は前記外部通信端末に関連する他の番組情報であって前記番組情報格納部に格納された情報を検出する番組情報検出部と、を備え、前記番組情報検出部の検出した番組情報を前記外部通信端末へ送信することを特徴とする番組表サーバを提供する。
【００１０】
上記番組情報は、前記番組情報に係る番組を放送する各放送局から取得されたもの、或いは前記番組情報に係る番組を放送する各放送局から取得し管理を行う番組情報提供機関より取得されたものであってもよい。
【００１１】
上記他の番組情報は、前記１の番組に係る番組情報であって前記番組情報格納部に格納された情報に含まれる項目のうちの少なくとも１つと同一の項目を含む番組情報あってもよい。
【００１２】
上記番組情報検出部は、前記他の番組情報を検出する際に前記１の番組に係る番組情報に含まれる項目の種類を選択ものであってもよい。
【００１３】
上記番組表サーバは、前記外部通信端末において過去に録画予約のされた番組に係る番組情報を格納する端末別情報格納部を備え、前記他の番組情報は、前記端末別情報格納部に格納された前記外部通信端末において過去に録画予約のされた番組に係る番組情報に多く含まれる項目と同一の項目を含む番組情報とするものであってもよい。
【００１４】
また、本発明は、番組情報を格納する番組表サーバとの間でデータの送受信を行う送受信部と、前記送受信部を介して前記番組表サーバより受信した番組情報からなる一覧表及びコンテンツ画像を表示する画像表示部と、前記画像表示部に表示された前記一覧表の中に含まれる１の番組の指定を行う操作部と、を備え、ユーザによる前記操作部の操作により前記一覧表の中に含まれる１の番組が指定された場合には、前記１の番組に関連する他の番組情報を前記送受信部を介して前記番組表サーバより取得し、前記画像表示部に表示させることを特徴とする画像表示装置を提供するものでもある。
【００１５】
更に、本発明は、番組情報を格納する番組情報格納部を備える番組表サーバと、前記番組情報からなる一覧表及びコンテンツ画像を表示する画像表示部を備える画像表示装置と、からなり、前記番組表サーバは、前記画像表示装置との間で情報の送受信を行う第１の送受信部と、前記番組情報のうちの１の番組に対応する前記１の番組又は前記画像表示装置に関連する他の番組情報であって、前記番組情報格納部に格納された情報を検出する番組情報検出部と、を備え、前記画像表示装置は、前記番組表サーバとの間でデータの送受信を行う第２の送受信部と、前記画像表示部に表示された前記番組表の中に含まれる１の番組の選択を行う操作部と、を備え、ユーザによる前記操作部の操作により前記画像表示部に表示された前記一覧表の中に含まれる１の番組が選択された場合には、前記番組情報検出部により検出された前記１の番組又は前記画像表示装置に関連する他の番組情報であって前記番組情報格納部に格納された情報を前記画像表示装置へ送信し、前記画像表示部に表示させることを特徴とする番組情報送受信システムを提供するものでもある。
【発明の効果】
【００１６】
本発明によれば、ユーザが番組表サーバから番組表を入手した際に、そこに表示された番組情報だけでなく、その番組に関連する番組や、ユーザの嗜好に合った番組についてもオススメ情報として表示することができるので、ユーザが興味の有る番組の録画予約をしそびれることを防止することができる。
【発明を実施するための最良の形態】
【００１７】
以下、図面を参照しながら本発明の実施の形態について説明する。
【００１８】
（システムの構成）
図１は、本発明に係る番組表サーバを含む番組表送受信システムの構成を示す図である。
【００１９】
図１に示す番組表送受信システムは、番組表サーバ１と、クライアント２とがネットワーク３で接続されている。更に、番組表サーバ１は、番組表の元データを送信する複数の放送局４と接続されている。一方、クライアント２には、番組を受信するためのアンテナ５が接続されている。
【００２０】
番組表サーバ１は、ネットワーク上に位置し、各放送局４から取得した番組情報に基づいて番組表その他のデータベースの作成、保管等を行う。なお、図１においては、番組表サーバ１と放送局４とは、ネットワーク３とは異なる経路で接続された記載がされているが、ネットワーク３を介して番組情報の取得がされるものであってもよい。
【００２１】
また、図１においては、番組表サーバ１は各放送局４からそれぞれ個別に番組情報を直接取得するよう構成されているが、各放送局４から番組情報を取得する番組情報提供会社等を介して、一括して番組情報を取得するよう構成されるものであってもよい。
【００２２】
クライアント２は、放送受信機能を有する機器であって、放送を受信するためのチューナと、受信した放送を利用するためのモニタ部やスピーカ部を備えるものである。図１においては、その一例として、パーソナルコンピュータ（ＰＣ）型のクライアント２ａと、デジタルＴＶ型のクライアント２ｂが記載されている。なお、クライアント２は上記機能を備えるものであればよく、図１記載の例に限定されるものではない。
【００２３】
ユーザは、番組表サーバ１より取得した番組表をクライアント２のモニタ部に表示させ、当該番組表に基づいて録画しようとする番組を選択する。そして、選択された番組の放送時間になると、予約内容に従って、当該番組をアンテナ５を介してチューナ部で受信し、録画を行う。
【００２４】
ネットワーク３は、例えば、インターネットやＬＡＮなどであり、図１においては有線接続がなされているが、有線無線を問わない。
【００２５】
（番組表サーバの内部構成）
図２は、本発明に係る番組表サーバ１の構成を示すブロック図である。
【００２６】
図２において、番組表サーバ１は、制御部１１と、ＲＯＭ１２と、ＲＡＭ１３と、番組表データ格納部１４と、個人情報格納部１５と、推薦情報格納部１６と、通信用インターフェイス（Ｉ／Ｆ）１７と、メイン内部バス１８とからなる。
【００２７】
ＲＯＭ１２は、番組表サーバ１を駆動させるために制御部１１において実行されるプログラム等を格納するものであり、ＲＡＭ１３は、番組表サーバ１を駆動させる際に制御部１１が必要とするパラメータ等を一時的に格納するものである。
【００２８】
番組表データ格納部１４は、放送局4より取得した番組情報と、当該番組情報より作成された番組表とを格納する。番組情報は、各番組についての放送局、放送時間、タイトル、ジャンル、出演者、キーワード、コメント等の情報をまとめたものである。また、番組表は、放送局毎に放送する番組タイトルを、放送時間順に並べた一覧表である。
【００２９】
個人情報格納部１５は、番組表サーバ１にアクセスするユーザのうち登録された者の、番組予約履歴等を格納する。
【００３０】
番組表データ格納部１４及び個人情報格納部１５には、主としてＨＤＤが用いられる。但し、大容量のデータ格納機能を有し番組表サーバ１に内蔵されるものであれば、ＨＤＤに限定されることはなく、半導体メモリ等であってもよい。
【００３１】
推薦情報作成部１６は、上述の個人情報格納部１５に格納されたユーザ別予約履歴に基づいて、当該ユーザの嗜好を分析し、それに見合った番組情報を番組表データ格納部１４から読込んで、当該ユーザに対して提供するオススメ情報を作成する。
【００３２】
通信用Ｉ／Ｆ１７は、ネットワーク３や、放送局４と接続し、各種データの送受信を行う。放送局４からは、主として番組情報を受信し、ネットワーク３を介したクライアント２からは、番組表等の送信要求信号を受信し、対応する番組表等を送信する。
【００３３】
メイン内部バス１８は、番組表サーバ１の各構成部を電気的に接続し、制御部１１が他の構成部へアクセスするためや、各構成部間でのデータの移動に使用される。具体的には、ＰＣＩやＰＣＩ  ｅｘｐｒｅｓｓ等である。
【００３４】
番組表サーバ１は、放送局４から通信用Ｉ／Ｆ１７を介して番組情報を取得すると、当該番組情報及び当該番組情報より作成された番組表データを、番組表データ格納部１４に格納する。
【００３５】
クライアント２よりネットワーク３を介して、番組表データの送信要求を受信すると、その要求内容に応じた番組表データを、ネットワーク３を介してクライアント２に対して送信する。
【００３６】
クライアント２において表示された当該番組表の中から、ユーザが１の番組を選択された場合には、番組表サーバ１はクライアント２から当該番組に関連するオススメ情報の送信要求を受信する。このとき、推薦情報作成部１６において、番組表データ格納部１４に格納された各番組情報を参照して、オススメ情報を作成し、当該情報をクライアント２に送信する。その際においては、個人情報格納部１５に格納されたユーザ情報を参照する場合が有る。
【００３７】
（番組表の基本表示例）
次に、本発明に係る番組表サーバにアクセスすることにより、クライアント機で表示される番組表について説明する。
【００３８】
図３は、番組表サーバ１より送信される番組表の基本となる表示例を示す図である。
【００３９】
番組表サーバ１よりクライアント２に対して、番組表データが送信されると、クライアント２に設けられたモニタ部２１には、番組表３０が表示される。
【００４０】
番組表３０には、その上部において、時間帯表示３１（３１ａ〜３１ｅ）が横方向に連続して配列し、左方部において、チャンネル（ＣＨ）別表示３２（３２ａ〜３２ｅ）が縦方向に重ねて表示されている。そして、時間帯表示３１に表示された時間にＣＨ別表示３２に表示されたチャンネルにおいて放送される番組のタイトルが、当該時間帯表示３１の下方、当該ＣＨ別表示３２の右方に位置するように表示される。
【００４１】
番組タイトルのうちの１つには、カーソル３３が位置しており、クライアント２の操作に用いられるリモコンやマウス等を操作することにより、カーソル３３が、上下左右の番組タイトルへと移動する。
【００４２】
ユーザが所望する番組タイトルにカーソル３３が位置した際に、リモコンの決定キーの押下や、マウスの左クリック等ががされることにより、番組録画予約等の設定動作に移行する。
【００４３】
（番組情報リスト）
図４は、番組表サーバ１の番組表データ格納部１４に格納されている番組情報についてリスト表示した例を示す図である。図３に示される番組表は、本番組情報のリストを基に作成される。
【００４４】
番組リスト５０は、個々の番組情報が縦方向に連なって表示されており、各番組情報は、チャンネル番号５１、開始時間５２、タイトル５３、ジャンル５４、キーワード５５、出演者５６及びコメント５７の各項目に分けられて記載されている。
【００４５】
図４においては、図３の番組表３０に表示されている番組の中からＣＨ３及びＣＨ４の２つのチャンネルで放送される番組についての番組情報が表示されている。
【００４６】
図３に示す番組表３０に表示される情報は、各番組の放送チャンネル、開始時間及びタイトルのみであり、これらの情報は、番組リスト５０より抽出される。また、残りの情報については、番組表３０には表示されないが、番組検索を行う際に重要な情報となる。
【００４７】
（オススメ情報表示）
次に、本発明に係る番組表サーバ１に特有の機能であるオススメ情報表示について説明する。
【００４８】
図５は、本発明に係る番組表サーバ１より情報を取得したクライアント２において表示される番組表及びオススメ情報の表示例を示す図である。
【００４９】
オススメ情報は、番組表３０中の１番組を指定したユーザに対して、推薦できる他の番組の存在を開示するものであり、選択された番組と同一ジャンルの番組、同一の出演者のいる番組、同一キーワードを有する番組等、当該ユーザが興味を示す可能性の高い番組を表示する。
【００５０】
ユーザが、所望する番組タイトルにカーソル３３が位置した際に、リモコンの情報表示用キーの押下や、マウスの右クリック等がされると、クライアント２は番組表サーバ１に対して、オススメ情報の送信要求を行う。そして番組表サーバ１より対応するオススメ情報を受信したクライアント２は、番組表３０に重なるようにオススメ情報３４を表示する。
【００５１】
図５（ａ）は、選択された番組と同一ジャンルの他番組について、オススメ情報として表示した例である。図５（ａ）においては、カーソル３３はあるアニメ番組に位置しており、この状態においてユーザがオススメ情報の表示操作を行うと、同一ジャンルであるアニメの番組であって直近に放送予定のある番組について、オススメ情報３４として表示されている。図５（ａ）では、オススメ情報３４には、他のアニメ番組の放送チャンネル、開始時間、タイトルの各情報が表示されている。
【００５２】
一方、図５（ｂ）は、選択された番組と同一のキーワードを有する他番組について、オススメ情報として表示した例である。図５（ｂ）においては、カーソル３３はある歴史番組に位置しており、この状態においてユーザがオススメ情報の表示操作を行うと、キーワードとして「歴史」を含む番組であって直近に放送予定のある番組について、オススメ情報３４として表示されている。図５（ｂ）では、オススメ情報３４には、「歴史」がキーワードとなる時代劇やドキュメンタリー等の他番組の放送チャンネル、開始時間、タイトルの各情報が表示されている。
【００５３】
このようなオススメ情報を表示することによって、ユーザが興味を示しそうな番組の存在を、ユーザに対して提供することができる。
【００５４】
（オススメ情報の設定）
上述の図５においては、オススメ情報として同一ジャンルの番組を表示する例と、同一キーワードを有する番組を表示する例の、２例を説明した。このように、オススメ情報として表示される情報の種類については、複数のパターンが考えられる。その内のどのパターンを用いるかについては、ユーザの判断で決定できることが望ましい。
【００５５】
そこで、本発明に係る番組表サーバ１は、オススメ情報として表示される情報の種類について、ユーザの操作により設定できるものとしている。以下、オススメ情報３４に表示される情報の種類の設定方法について説明する。
【００５６】
図６は、オススメ情報に表示される内容の設定を行う画面の表示例である。モニタ部２１上には、オススメ情報設定画面４０が表示されている。
【００５７】
オススメ情報設定画面４０には、その上方に画面のタイトルが表示され、略中央部には、オススメ情報の選定基準となる内容からなる選択肢４１が、各選択肢４１の左方には、各選択肢４１のうちのいずれが選択されたかを表す選択表示部４２が表示されている。
【００５８】
図６においては、選択肢４１として「ジャンル」、「出演者」、「キーワード」、「ユーザ別予約履歴」の４つが表示されている。但し、他の選定基準を選択肢として設けるものであってもよく、また、選択肢の数も４つに限られるものではない。
【００５９】
選択肢４１の中から「ジャンル」が選択されると、オススメ情報３４には、選択された番組と同一ジャンルの番組の中から直近に放送予定のある番組が表示され、図５（ａ）のようになる。また、「出演者」が選択されると同一出演者の出演する番組が、「キーワード」が選択されると、図５（ｂ）の如く同一キーワードを有する番組が、それぞれ表示される。
【００６０】
更に、「ユーザ別予約履歴」が選択された場合には、ユーザの予約履歴に応じた表示がされることになるが、これについては後述する。
【００６１】
選択表示部４２は、選択肢４１と同数が各選択肢４１に対応して設けられている。複数の選択表示部４２は、白丸の形状を有しており、そのうち１つのみについて、白丸の中に黒丸が描かれた形状を有している。ユーザが、マウスまたはリモコンの操作によりいずれか１つの選択表示部４２を選択すると、その選択表示部４２のみが白丸の中に黒丸が描かれた形状となる。これにより、対応する選択肢４１のうちのどの選択肢をユーザが選択したかが表示される。
【００６２】
更に、オススメ情報設定画面４０の下方には、はいボタン４３及びいいえボタン４４が表示されている。ユーザがはいボタン４３を選択した場合、その時点のオススメ情報設定画面４０に表示されていた選択肢４１の選択内容がオススメ情報の選定基準として設定される。一方、いいえボタン４４が選択された場合には、オススメ情報の選定基準の設定に変更がなされない。
【００６３】
なお、上記説明においては、オススメ情報の選定基準は１つのみを選択可能としたが、複数の選択肢を選定基準として設定可能なようなものであってもよい。
【００６４】
このような設定画面を用いてお勧め情報として表示させる内容の設定を可能とすることにより、表示するオススメ情報の内容を、画一的なものとせず、よりユーザの好みに応じたものとすることができる。
【００６５】
（ユーザ別予約履歴情報）
上述のオススメ情報設定画面４０において、オススメ情報の選定基準として、「ユーザ別予約履歴」が挙げられていたが、本発明に係る番組表サーバ１は、登録したユーザの録画予約の履歴情報を格納することができる。これにより、各ユーザの視聴番組に対する嗜好が把握可能であり、それに応じた適切なオススメ情報の表示が可能となる。
【００６６】
図７は、番組表サーバ１の個人情報格納部１５に格納されたユーザ別予約履歴のリストの表示例である。
【００６７】
ユーザ別予約履歴６０には、以前に１のユーザが録画予約を行った番組のそれぞれについての番組情報が記載されている。このリストに記載された各番組情報の中から多くの共通項目が見つかると、そこから当該ユーザの嗜好を読取ることが可能となる。
【００６８】
例えば、図７においては、同一タイトルのドラマがいくつもリストに含まれており、このことから当該ユーザは同ドラマを毎週録画予約していることが判る。そこで、当該ドラマについては、当該ユーザに対するオススメ情報として取り上げるべきものであると判断され得ることになる。
【００６９】
また、図７においては、異なるタイトルの音楽番組が２つリストに含まれているが、そのいずれにおいても同一の出演者が記載されており、当該ユーザは当該出演者の出演する音楽番組を録画予約していることがわかる。そこで、当該出演者が含まれる番組は、当該ユーザに対するオススメ情報として取り上げるべきものであると判断され得ることになる。
【００７０】
以上のように、ユーザ別予約履歴６０に含まれるデータを解析することにより、当該ユーザの嗜好を反映させたオススメ情報の提供が可能となる。
【００７１】
図８は、ユーザ別予約履歴に基づくオススメ情報の表示例である。図８におけるオススメ情報３４には、図７に記載されたユーザ別予約履歴６０に基づいて、当該ユーザが興味を有していると思われる音楽番組と、ドラマを表示している。
【００７２】
このような表示を行うことにより、当該ユーザは、自分が録画予約をするであろう番組についてのオススメ表示を見ることができるので、かかる番組の録画を予約し損なうことがなくなる。
【００７３】
（番組表サーバにおけるデータ送受信の動作）
次に、本発明に係る番組表サーバと、これと送受信を行うクライアント機における動作について、フローチャートを用いて説明する。
【００７４】
図９は、番組表サーバ１及びクライアント２において行われる情報の送受信についての動作を示すフローチャートである。なお、以下の説明における動作は、特に記載のない限り、番組表サーバ１においては制御部１１が行うものとする。
【００７５】
最初に、ユーザの操作に基づき、クライアント２より番組表サーバ１に対して番組表送信の要求信号が送信される（ステップＳ２０１）。当該要求信号を通信用Ｉ／Ｆ１７を介して受信した制御部１１は、番組表データ格納部１４に格納された番組表のうち、ユーザの要望に応じた日時を含む番組表の部分検索し（ステップＳ１０１）、得られた番組表のデータを、通信用Ｉ／Ｆ１７及びネットワーク３を介して、クライアント２へ送信する（ステップＳ１０２）。
【００７６】
続いて、クライアント２においては、送信された番組表データに基づきモニタ部２１に番組表を表示する（ステップＳ２０２）。そして、ユーザが当該番組表に表示された各番組の中から１の番組を選択すると、番組表サーバ１に対して当該番組が指定された旨の通知を行う（ステップＳ２０３）。
【００７７】
番組表サーバ１が上記番組指定の通知を受信すると、当該番組又はユーザに関連するオススメ情報の検索を行う（ステップＳ１０３）。この処理の詳細については後述する。そして得られたオススメ情報を、クライアント２に対して送信する。
【００７８】
当該オススメ情報を受信したクライアント２においては、当該オススメ情報が表示される（ステップＳ２０５）。そして、ユーザが当該番組表や当該お勧め情報を参照して、１の番組を指定して番組録画予約の操作を行うと、クライアント２において番組録画予約の設定がされる（ステップＳ２０５）。
【００７９】
録画予約が完了すると、クライアント２は番組表サーバ１に対して、当該番組について録画予約を行った旨の情報を送信する（ステップＳ２０６）。当該情報を受信した番組表サーバ１は、個人情報格納部に格納された当該ユーザの録画予約履歴のデータを更新する（ステップＳ１０５）。
【００８０】
なお、番組表サーバ１に登録のされていないユーザについては、録画予約履歴が存在しないため、データの更新はされない。
【００８１】
（オススメ情報検索処理）
図１０は、上記ステップＳ１０３において行われるオススメ情報検索処理の詳細の動作を示すフローチャートである。なお、以下のフローチャートは、図６の例に習い、オススメ情報の選定基準として「ジャンル」「出演者」「キーワード」「ユーザ別予約履歴」の４つのうちの１つが選択されている場合の例である。
【００８２】
最初に、オススメ情報の選定基準として「ジャンル」が指定されているか否かの判断が行われる（ステップＳ１１１）。「ジャンル」が指定されていると判断した場合には（Ｓ１１１:Ｙｅｓ）、お勧め情報として指定番組と同一ジャンルの番組の検索を実行する（ステップＳ１１２）。
【００８３】
一方、「ジャンル」が指定されていないと判断した場合には（Ｓ１１１:Ｎｏ）、続いて、オススメ情報の選定基準として「出演者」が指定されているか否かの判断が行われる（ステップＳ１１３）。「出演者」が指定されていると判断した場合には（Ｓ１１３:Ｙｅｓ）、お勧め情報として指定番組と同一出演者の出演する番組の検索を実行する（ステップＳ１１４）。
【００８４】
一方、「出演者」が指定されていないと判断した場合には（Ｓ１１３:Ｎｏ）、続いて、オススメ情報の選定基準として「キーワード」が指定されているか否かの判断が行われる（ステップＳ１１５）。「キーワード」が指定されていると判断した場合には（Ｓ１１５:Ｙｅｓ）、お勧め情報として指定番組と同一キーワードを有する番組の検索を実行する（ステップＳ１１６）。
【００８５】
一方、「キーワード」が指定されていないと判断した場合には（Ｓ１１５:Ｎｏ）、オススメ情報の選定基準は「ユーザ別予約履歴」となるが、番組表サーバ１に当該ユーザのユーザ登録がされているか否かの判断を行う（ステップＳ１１７）。ユーザ登録がされていると判断した場合には（Ｓ１１７:Ｙｅｓ）、個人情報格納部１５に当該ユーザの予約履歴が格納されているので、当該予約履歴に基づいて当該ユーザの嗜好に合う番組の検索を実行する（ステップＳ１１８）。
【００８６】
一方、ユーザ登録がされていないと判断した場合には（Ｓ１１７:Ｎｏ）、オススメ情報の検索が不可能なので、検索不能の通知を作成し（ステップＳ１１９）、その後、図９のフローチャートに処理を戻す。
【００８７】
また、上述のステップＳ１１２、Ｓ１１４、Ｓ１１６及びＳ１１８の各ステップにおいて検索が実行された後には、その検索の結果得られた情報に基づき、送信するオススメ情報を作成し（ステップＳ１２０）、その後、図９のフローチャートに処理を戻す。
【００８８】
以上の処理を行うことにより、ユーザが番組表サーバ１から番組表を入手した際に、そこに表示された番組情報だけでなく、その番組に関連する番組や、ユーザの嗜好に合った番組についてもオススメ情報として表示することができるので、ユーザが興味の有る番組の録画予約をしそびれることを防止することができる。
【図面の簡単な説明】
【００８９】
【図１】本発明に係る番組表サーバを含む番組表送受信システムの構成を示す図である。
【図２】本発明に係る番組表サーバ１の構成を示すブロック図である。
【図３】番組表サーバ１より送信される番組表の基本となる表示例を示す図である。
【図４】番組表データ格納部１４に格納されている番組情報についてリスト表示した例を示す図である。
【図５】番組表サーバ１より情報を取得したクライアント２において表示される番組表及びオススメ情報の表示例を示す図である。
【図６】オススメ情報に表示される内容の設定を行う画面の表示例である。
【図７】番組表サーバ１の個人情報格納部１５に格納されたユーザ別予約履歴のリストの表示例である。
【図８】ユーザ別予約履歴に基づくオススメ情報の表示例である。
【図９】番組表サーバ１及びクライアント２において行われる情報の送受信についての動作を示すフローチャートである。
【図１０】ステップＳ１０３において行われるオススメ情報検索処理の詳細の動作を示すフローチャートである。
【符号の説明】
【００９０】
１、番組表サーバ  ２、クライアント  ３、ネットワーク  ４、放送局  ５、アンテナ
１１、制御部  １２、ＲＯＭ  １３、ＲＡＭ  １４、番組表データ格納部
１５、個人情報格納部  １６、推薦情報作成部  １７、通信用Ｉ／Ｆ
１８、メイン内部バス  ２１、モニタ部  ３０、番組表  ３１、時間帯表示
３２、ＣＨ別表示  ３３、カーソル  ３４、オススメ情報  ４０、オススメ情報設定画面
４１、選択肢  ４２、選択表示部  ４３、はいボタン  ４４、いいえボタン
５０、番組表リスト  ５１、チャンネル番号  ５２、開始時間  ５３、タイトル
５４、ジャンル  ５５、キーワード  ５６、出演者  ５７、コメント
６０、ユーザ別予約履歴
【図１】
2007181067.tif 000003
【図２】
2007181067.tif 000004
【図３】
2007181067.tif 000005
【図４】
2007181067.tif 000006
【図５】
2007181067.tif 000007
【図６】
2007181067.tif 000008
【図７】
2007181067.tif 000009
【図８】
2007181067.tif 000010
【図９】
2007181067.tif 000011
【図１０】
2007181067.tif 000012